(57)【要約】【課題】  大きな物体の通過を阻止し、小さな物体の通過を許容する排水口栓において、毛髪等の紐状体によって目詰まりが生じてしまうのを防止できるようにする。【解決手段】  外周１０ａ方向から中心方向に向けて複数の一方の排水導入片１１，他方の排水導入片１２を形成するとともに、上記排水導入片１１，１２の先端を先細り状に形成して、上記先細り状に形成した各排水導入片１１，１２の先端にゴミの捕捉部１３を形成することにより、上記各排水導入片１１，１２の間の段差部１４から排水するとともに、上記補足すべきゴミを上記ゴミの捕捉部１３に導き、上記ゴミの捕捉部１３においてゴミを集中的に捕捉できるようにする。【選択図】  図１
0003103600.tif 000002
【実用新案登録請求の範囲】
【請求項１】
外周方向から中心方向に向けて複数の排水導入片が形成されており、上記各排水導入片の先端は先細り状に形成されているとともに、上記先細り状に形成された各排水導入片の自由端は下方に湾曲されて中心部にゴミの捕捉部が形成されていて、
上記各排水導入片の間から排水するとともに、上記補足すべきゴミを上記各排水導入片の自由端に形成されているゴミの捕捉部に導き、上記ゴミの捕捉部においてゴミを集中的に捕捉するようにしたことを特徴とする排水口栓。
【請求項２】
上記排水導入片は、外周方向から中心方向にむけて先細り状になる放射状に形成されていて、隣接する排水導入片は相互に段差を設けて形成されていることを特徴とする請求項１に記載の排水口栓。
【請求項３】
上記排水口栓は、金属または硬質の剛性樹脂によって形成されていることを特徴とする請求項１または２に記載の排水口栓。
【考案の詳細な説明】
【技術分野】
【０００１】
本考案は排水口栓に関し、特に、浴室等に用いられる排水トラップに用いて、小さなものは通過させるが、大きなものは通過を阻止する排水口栓に用いて好適な排水口栓に関するものである。
【背景技術】
【０００２】
従来、この種の排水トラップとして、特許文献１、または特許文献２に記載の技術が開示されている。これ等の技術は、何れも浴室の洗い場床面に設けられる排水トラップで、床面に排水管を設け、排水管の上面に目皿を設け、この下にバスケット状のストレーナを配設している。
【０００３】
これ等の公報に開示されている技術は、何れも浴室の洗い場床面に設けられる排水トラップで、床面に排水管を設け、排水管の上面に排水口栓を設け、この下にバスケット状のストレーナを配設している。
【０００４】
図５に、従来の排水口栓の一例を示す。
図５に示した従来の排水口栓５０は、例えば、硬質の剛性樹脂により構成されていて、その面上には多数の孔５１・・・が設けられており、大きな物体の通過を阻止し、小さな物体の通過を許容するために用いられる。
【０００５】
上記のように、大きな物体の通過を阻止し、小さな物体の通過を許容する理由は、後述するように、排水口栓の下方には、排水と共に導かれた毛髪や垢などのゴミを確実に除去するための小さな網目のゴミ除去ネット、及び上記ゴミ除去ネットの保持体が取り付けられており、毛髪や垢などの小さなゴミ等は上記ゴミ除去ネットで捕捉するので、排水口栓５０においては大きなゴミの通過を阻止すればよいからである。なお、大きなゴミを捕捉するのは、上記ゴミ除去ネット内が大きなゴミで直ぐに満杯になってしまうのを防止するためである。
【０００６】
【特許文献１】実開昭５１−１６２５３４号公報
【特許文献２】実公昭５５−２１３２号公報
【考案の開示】
【考案が解決しようとする課題】
【０００７】
上記従来の排水口栓５０においても、主たる目的である小さなゴミを捕捉する目的を達成することができる。しかしながら、上記従来の排水口栓５０の場合には、図６の部分拡大断面図に示すように、毛髪６０を捕捉してしまう不都合があった。
【０００８】
これは、毛髪６０は小さいので上記孔５１を通過させるものの、その先端部６０ａが通過した孔５１と、後端部６０ｂが通過する孔５１とが異なることが多く、結果として多数の毛髪６０が排水口栓５０に捕捉されることとなり、直ぐに目詰まりを起こしてしまう問題点があった。
【０００９】
本考案は上述の問題点にかんがみ、大きな物体の通過を阻止し、小さな物体の通過を許容する排水口栓において、毛髪等の紐状態によって目詰まりが生じてしまうのを防止できるようにすることを目的とする。
【課題を解決するための手段】
【００１０】
本考案の排水口栓は、外周方向から中心方向に向けて複数の排水導入片が形成されており、上記排水導入片の先端は先細り状に形成されているとともに、上記先細り状に形成された各排水導入片の自由端は下方に湾曲されて中心部にゴミの捕捉部が形成されていて、上記各排水導入片の間から排水するとともに、上記補足すべきゴミを上記各排水導入片の自由端に形成されているゴミの捕捉部に導き、上記ゴミの捕捉部においてゴミを集中的に捕捉するようにしたことを特徴としている。
また、本考案の他の特徴とするところは、上記排水導入片は、外周方向から中心方向にむけて先細り状になる放射状に形成されていて、隣接する排水導入片は相互に段差を設けて形成されていることを特徴としている。
また、本考案のその他の特徴とするところは、上記排水口栓は、金属または硬質の剛性樹脂によって形成されていることを特徴としている。
【考案の効果】
【００１１】
本考案によれば、外周方向から中心方向に向けて複数の排水導入片を形成するとともに、上記排水導入片の先端は先細り状に形成し、上記先細り状に形成した各排水導入片の自由端を下方に湾曲させて中心部にゴミの捕捉部を形成して、上記各排水導入片の間から排水するとともに、上記補足すべきゴミを上記各排水導入片の自由端に形成したゴミの捕捉部に導き、上記ゴミの捕捉部においてゴミを集中的に捕捉するようにしたので、大きな物体の通過を阻止し、小さな物体の通過を許容する排水口栓において、それ自体は小さいが長い紐状の毛髪等を捕捉してしまうことで目詰まりが生じてしまうのを可及的に減らすことができる。これにより、排水口栓を清掃する手間を大幅に軽減することができる。
【考案を実施するための最良の形態】
【００１２】
次に、添付図面を参照しながら本考案の排水口栓の実施の形態を説明する。
図１は、本実施の形態の排水口栓の全体構成を示す平面図である。図１に示したように、本実施の形態の排水口栓１０は、金属板をプレス加工して形成されている。本実施の形態においては、全体形状を円形に形成した例を示しているが、上記全体形状は任意の形状であってよい。
【００１３】
上記排水口栓１０には、外周１０ａ方向から中心方向に向けて複数の排水導入片１１、１２が形成されており、上記各排水導入片１１、１２の先端は先細り状に形成されていて、上記先細り状に形成された各排水導入片１１、１２の自由端は下方に湾曲されて中心部にゴミの捕捉部１３が形成されている。本実施の形態では、１６個の排水導入片１１、１２を形成した例を示している。
【００１４】
上記排水導入片１１及び１２は、外周１０ａ方向から中心方向にむけて先細り状になる放射状に形成されていて、隣接する排水導入片１１、１２は相互に段差を設けて形成されている。図１に示した例では、一方の排水導入片１１を基板と同じレベルに形成し、他方の排水導入片１２をその基端において、上記一方の排水導入片１１に対して下方に折り曲げた後で水平方向に曲げて、一方の排水導入片１１と他方の排水導入片１２との間に段差部１４が形成されている。
【００１５】
これにより、上記一方の排水導入片１１と他方の排水導入片１２とは、全体としてそのほとんどの部分においては所定の長さにわたって段差が形成される。上記一方の排水導入片１１及び他方の排水導入片１２の間の段差部１４から排水するとともに、補足すべきゴミは、これらの段差部１４からは抜け落ちないようになされている。
【００１６】
上記段差部１４から排水されない水分及びゴミは、上記一方の排水導入片１１及び他方の排水導入片１２の面上を伝わって上記ゴミの捕捉部１３に至り、上記ゴミの捕捉部１３から下方に排水される。この際に、上記ゴミの捕捉部１３よりも大きなゴミは通過できずに捕捉される。
【００１７】
図１におけるＡ−Ａ線に沿う断面図を図２に示し、図１のＢ−Ｂ線に沿う断面図を図３に示す。図２及び図３に示したように、他方の排水導入片１２は一方の排水導入片１１よりも下方に位置するようにプレス加工によって形成されており、一方の排水導入片１１と他方の排水導入片１２の間に段差部１４が形成されている。
【００１８】
したがって、本実施の形態の排水口栓１０によれば、各排水導入片１１、１２間に形成されている段差部１４から水分のみを積極的に排水するとともに、排水導入片１１、１２に跨ってしまった毛髪等は、放射状に形成した各排水導入片１１、１２によりガイドして、各排水導入片１１、１２の先端部に形成されているゴミの捕捉部１３まで運ばれ、上記ゴミの捕捉部１３から下方に落下される。
【００１９】
これにより、毛髪等の細長い紐状体が上記排水口栓１０に絡まってしまい、目詰まりを起こすような不都合を確実に防止することができるので、排水口栓１０を清掃する作業を大幅に軽減することができる。
【００２０】
以下、本実施の形態による排水口栓１０の使用例を説明する。
図４において、枠体４１及び筒体４２と、金属で製作された網カゴ４３を有する排水口に、ストレーナとしての排水口栓１０を取り付けている。
【００２１】
上記枠体４１は、横断面がほぼ円形状枠体で形成されていて、上記枠体４１の内側に筒体４２が螺合している。上記筒体４２は、円筒形の上部は係合段部４４を介して外側に広げた形状に形成されている。
【００２２】
上記網カゴ４３は、上端面の内側に段部を有する中空円板形状のつば体４５と、このつば体４５の下側取り付け部に取り付けられたカゴ本体４６とを具備してなり、このカゴ本体４６は所定網目の金網で有底円筒形状に形成されている。
【００２３】
上記網カゴ４３の内部には、ペーパーフィルタ４７が配設されている。上記ペーパーフィルタ４７は水切りの良い紙を袋形状に形成してなり、上記網カゴ４３のカゴ本体４６の内側に着脱可能に装着されるとともに、その開口部は上記つば体４５の裏側まで折り返されて、つば体４５と上記筒体４２の係合段部４４との間に挟持されている。
【００２４】
上述のように構成された排水口において、洗い場で使用された排水は、排水口栓１０に入る。この排水口栓１０に入った排水は、一方の排水導入片１１及び他方の排水導入片１２に案内されながら、上記一方の排水導入片１１と他方の排水導入片１２との間に形成された段差部１４から排水されるとともに、排水されなかった水分及びゴミが中央部に形成されているゴミの捕捉部１３に向かう。上記ゴミの捕捉部１３は、上述したように小さく形成されているので、小さなゴミの通過は許容するものの、大きなゴミが通過するのを阻止する。
【００２５】
特に、本実施の形態の排水口栓１０においては、排水が流れ落ちる空間が閉じていないので、図６で示した毛髪６０のような細長い紐状体が排水中に含まれていても、上記毛髪６０状の細長い紐状体は上記一方の排水導入片１１または他方の排水導入片１２上を滑らせて上記ゴミの捕捉部１３から下方に落下させることができる。
【００２６】
これにより、毛髪６０等が排水口栓１０に引っ掛かって詰まってしまうような不都合を確実に回避することができる。そして、下方に落下した排水中の小さなゴミは、上記カゴ本体４６中に配設されたペーパーフィルタ４７によって捕捉されるので、排水口栓１０を通過した小さなゴミが配水管中に流れ出てしまう不都合はない。
【００２７】
なお、上記実施の形態では、本体、枠体及び筒体をＡＢＳ樹脂で製作し、網カゴを金属で製作したが、本実施の形態はこれに限るものではない。例えば、本体、枠体及び筒体をＡＢＳ樹脂で以外の合成樹脂で製作するようにしてもよく、または金属（例えば鋳鉄）で製作するようにしてもよい。また、網カゴを合成樹脂で製作するようにしてもよい。
【００２８】
また、上記カゴ本体４６内に装着するフィルターをペーパーフィルタ４７で形成して、使い捨て可能としたが、本実施の形態はこれに限るものでなく、紙以外の材料（例えば合成繊維や天然繊維）で製作したもの（例えば布製のフィルター）であってもよい。この場合、ペーパーフィルタ４７と同様に使い捨てであってもよく、多数回使えるようにしてもよい。
【図面の簡単な説明】
【００２９】
【図１】本考案の実施の形態を示し、排水口栓の平面図である。
【図２】図１中のＡ―Ａ線に沿う断面図である。
【図３】図１中のＢ―Ｂ線に沿う断面図である。
【図４】実施の形態の排水口栓の使用例を説明する断面図である。
【図５】従来の排水口栓の一例を示す図である。
【図６】従来の排水口栓における問題点を説明する図である。
【符号の説明】
【００３０】
１０  排水口栓
１０ａ  外周
１１  一方の排水導入片
１２  他方の排水導入片
１３  ゴミの捕捉部
１４  段差部
【図１】
0003103600.tif 000003
【図２】
0003103600.tif 000004
【図３】
0003103600.tif 000005
【図４】
0003103600.tif 000006
【図５】
0003103600.tif 000007
【図６】
0003103600.tif 000008